(57)【要約】 【課題】 広告情報を印刷した紙片が差し込まれた販促物をもらった人は、ほとんど「どんな内容が載っているかも記憶に留めることもなく捨てられること。【解決手段】 販促物を包装するフィルム状の包装材内に、折り畳んだ一葉の紙であって、当該紙片は広告情報を印刷され、折り方に工夫をして、一部を突出させるように差し込むことで、両側から見ても文字などが見えるようになった。また紙面を折りたたむことで、広告面積は画期的に大きくなり、キャッチコピーやかわいいイラストや写真などを交えて、ターゲットに興味を示してもらえる耳寄りな情報にクーポン券や割引券などのお得な情報を印刷した。これにより、簡単に捨てる気にならない広告媒体となった。【選択図】 図１
2014174181.tif 000002
【特許請求の範囲】
【請求項１】
積層された複数枚のティッシュペーパーを包装するフィルム状の包装材内に、折り畳んだ広告情報を印刷された一葉の紙が差し込まれたことを特徴とする販促物。
【請求項２】
販促物を包装するフィルム状の包装材から広告情報を印刷された一葉の紙の一部が突出したことを特徴とする請求項1の販促物。
【請求項３】
一葉の紙にクーポン券や割引券などのお得な情報が記載された請求項1乃至２の販促物。
【発明の詳細な説明】
【技術分野】
【０００１】
本発明は比較的厚さの薄いポケットティッシュ、脂取り紙、マスク、カイロ、花の種、入浴剤、絆創膏などの販促物を包装するフィルム状の包装材内に広告情報を印刷された紙片を差し込まれた販促物に関するものである。
【背景技術】
【０００２】
従来から積層された複数枚のティッシュペーパーを包装するフィルム状の包装材に広告情報を印刷したり、広告情報を印刷した紙片を包装材内に差し込んだりしたポケットティッシュを企業の販促物として街頭などで無償配布して姿はよく見る。
しかし、ほとんどの人は、もらった情報に興味が有るわけでもないので、広告情報を抜き取り、捨て去り、使用することが多かった。
【０００３】
また、ティッシュペーパーを包装するフィルム状の包装材に広告情報を印刷する方法は紙片を差し込むだけの時よりも広告内容を印象づけることはできるが、発注数が多いのが難点である。期間限定のメッセージや催事の告知、あるいは移り変わりの激しい商品の広告など小ロットで作成したい場合は、広告情報を印刷した紙片を無地の包装材内に差し込んで配布する方法を取ることが多かった。
しかしその際、印刷された紙片は約１０４ｍｍ×７３ｍｍ〜１０４ｍｍ×９８ｍｍと大変小さい。また紙片を差し込んだ反対側だと、何の文字も見えず、それでは、十分な広告情報を記載出来ないという悩みがあった。
【０００４】
従来品より販促物の広告スペースが多いものとして特許文献１に記載があるように包装材が、積層されたティッシュペーパーの一面側では一重に、他面側では二重に重ねられており、少なくとも、他面側で二重に重ねられた内側フィルムと外側フィルムとの両方に広告情報が掲載されているポケットティッシュもあった。
また特許文献２においても２面から広告が見える構造であった。しかし、いずれもティッシュペーパーを包装する際に、同時に封入する必要があり、これも発注数が大きいのが難点であるのと同時にまだ広告スペースが少ない。
特許文献３は化粧用の脂取り紙に関しての記載がある。多量のメッセージがある場合は大きな紙面を折りたたんで袋などに収納するとある。しかし、この方法は片面からしか広告が見えないという難点があった。
【先行技術文献】
【特許文献】
【０００５】
【特許文献１】特許第３８２５０２２号
【特許文献２】実用新案登録第３１１４４１５号
【特許文献３】実用新案登録第３０６２９６４号
【発明の概要】
【発明が解決しようとする課題】
【０００６】
広告情報を印刷した紙片が差し込まれた販促物をもらった人は、ほとんど「どんな内容が載っているかも記憶に留めることもなく」すぐさま印刷された紙片を抜き取り、捨て去ったうえ使用することが多かった。これでは広告効果はあまり出ない。もっと宣伝効果を高める必要があった。
【０００７】
また従来の一般的な印刷された紙片のサイズが小さい為、宣伝したいことは山ほどあるのに充分に表現できない。そこで、いかに大きな紙面をコンパクトに、しかも取り出して読むときにスピーディに開けるかを課題に検討を重ねた。
【課題を解決する為の手段】
【０００８】
請求項１記載の発明は、販促物を包装するフィルム状の包装材内に、折り畳んだ広    告情報を印刷された一葉の紙が差し込まれたことを特徴とする販促物。
【０００９】
この発明によれば、表面上は限られた販促物の紙面に見えるが、実際は折り畳んでいるので従来品に比べ数倍の大きな紙面での広告が可能になる。これにより、商品の魅力を十分に記載ができる。また広告情報を印刷された一葉の紙の少なくても１方向をジャバラ折りにすることで、素早く広げて見ることができるので煩わしくない。
大きな紙面を確保できるので、配布ターゲットが興味のある情報などを記載してもよい。たとえば接骨院の場合であれば、ターゲットは何かしら体に不調を抱えている人が多いはず・・・。そこで腰痛に効く体操の情報や肩こりに効く体操などが記載されていると、つい大事に取っておこうとする。頑張って健康になりたくて、壁に貼って体操をやってみようとする。また、小さな子供がおられる方をターゲットとする場合は子供さんが喜びそうなぬり絵や折り紙の折り方などを印刷してもよい。若い女性ターゲットの場合は、美容やスイーツなどに関する情報を、シニア層には脳トレパズルや体操などの情報を印刷してもよい。
このように各々のターゲットの興味を引く情報を印刷することで、一定期間は大切にしてもらえることが可能になる。
【００１０】
請求項２記載の発明は、販促物を包装するフィルム状の包装材から広告情報を印刷  された一葉の紙の一部が突出したことを特徴とする請求項1の販促物。
【００１１】
一般的な従来のポケットティッシュを例に取ると、紙が差し込まれた面と反対の面、つまりポケットティッシュの開口部のある面は、大きなロットで包装材に印刷をしない限り何の宣伝効果もない。
しかし、この発明によれば、紙片が突出したところにも広告情報が印刷できるので、どちらの面から見ても宣伝効果が期待できる。キャッチコピーや、かわいいイラスト、写真などを印刷して、尚且つ大きな紙面で十分な情報を印刷できるので、宣伝効果を高めることが可能になる。
【００１２】
請求項３記載の発明は、一葉の紙にクーポン券や割引券などのお得な情報が記載された請求項1乃至２の販促物。
【００１３】
この発明によれば、たとえば接骨院の場合、腰が痛くなった時や肩が痛くなった時に、このクーポンや割引券を使い、安く治療ができれば最高〜！とばかりに大事に取って置こうとする。つまり、お金と一緒の値打ちがある物だから、すぐに捨てられず、大事に取って置くことになる。そして、治療に訪れる機会を創出することに繋がる。
【発明の効果】
【００１４】
従来型の販促物より広い紙面が獲得でき、十分な広告情報や、イラスト、写真などを思う存分表現が出来る。
【００１５】
十分な表現スペースが可能になるので、見込客が興味のある、便利な情報や、お得なサービス券などをイラストと混ぜながら印刷することで、簡単に捨てられない魅力のある内容の広告物とすることが可能になる。
【００１６】
印刷された一葉の紙の一部が突出しているので、販促物の両面で宣伝効果が望めるし、小ロット生産が可能である。
【図面の簡単な説明】
【００１７】
【図１】本発明に係る実施方法を示した平面図である。（実施例１）
【図２】本発明に係る実施方法を示した裏面図である。（実施例１）
【図３】本発明に係る広告情報を印刷された一葉の紙の平面図である。（実施例１）
【図４】本発明に係る一葉の紙の折り方例のイメージ図である（実施例１）
【図５】本発明に係る構造を示す図２のＡ−Ａの斜視断面図である。（実施例１）
【図６】本発明に係る実施方法を示した平面図である。（実施例２）
【図７】本発明に係る実施方法を示した裏面図である。（実施例２）
【図８】本発明に係る広告情報を印刷された一葉の紙の平面図である。（実施例２）
【図９】本発明に係る一葉の紙の折り方例のイメージ図である（実施例２）
【図１０】本発明に係る構造を示す図７のＢ−Ｂの斜視断面図である。（実施例２）
【図１１】本発明に係る実施方法を示した平面図である。（実施例３）
【図１２】本発明に係る実施方法を示した裏面図である。（実施例３）
【図１３】本発明に係る広告情報を印刷された一葉の紙の平面図である。（実施例３）
【図１４】本発明に係る一葉の紙の折り方例のイメージ図である。（実施例３）
【図１５】本発明に係る構造を示す図１２のＣ−Ｃ斜視断面図である。（実施例３）
【発明を実施するための形態】
【実施例１】
【００１８】
以下各図面で具体例を挙げるが本発明はこれらに限定されるものではない。
図１は本発明に係る販促物であるポケットティッシュ１の平面図である。図２は販促物であるポケットティッシュ１の裏面図である。図３は印刷された一葉の紙４の平面図である。手で折りたたみ易くするために点線４ａ，４ｂ，４ｃを設けている構造である。突出部を作るため、一葉の紙４の内部に４Ａと４Ｂとの２か所をトムソン刃で抜き加工を施している。４Ａと４Ｂとは各々点線と交わる部分は切抜きを止める形にしておく。後で突出部として使うためである。
図４はトムソンの抜き加工後、Ａの上部とＤの下部を４ｂのラインに揃え、さらに半分に折る感じで４ｂの処も山折りをしていく折り方図である。このように折ると、図５の上部の一葉の紙４の形になる。
図５はポケットティッシュ１の構造を示す図２のＡ−Ａの斜視断面図である。ティッシュ２を包装材３で縦方向に約１．４周を巻き込んで包装材３の左右を接着部３ａで熱圧着し、その際できた差し込み口３ｃから、広告情報を印刷された一葉の紙４の突出部４Ａと４Ｂを突出させて差し込むと図１，図２のような広告入りポケットティッシュ１が完成する。なお、ティッシュ２はポケットティッシュの開口部３ｂより引き出して使用する。
本実施例１においては、手で折る位置をわかり易くするために点線４ａ，４ｂ，４ｃを一葉の紙に施しているが、一葉の紙４の最端部に目印を印刷してもよい。印刷された文字やイラストでも目印の効果が得られることも多いので、その時は、目印の為だけに印刷部分を増やす必要はない。また手で折り畳みやすくするために、別途にゲージを作成する場合や、機械で折りたたむ場合はこのような目印などは無くてもよい。本実施例１では、ヨガ教室の広告主の情報と共に美と健康に良いとされているスムージーのレシピと体験参加の無料クーポンを記載している。
又、本実施例１では突出部を除きＡ，Ｂ，Ｃ，Ｄいずれも縦方向に同じ長さでレイアウトしているが、それに限らず、異なる縦方向のサイズを採用しても構わない。なお、本実施例では一葉の紙４に片面印刷を採用しているが、両面印刷を採用することも可能である。
本実施例１では、ヨガ教室の広告主の情報と共に美と健康に良いとされているスムージーのレシピと体験治療の無料クーポンを記載している。
【実施例２】
【００１９】
以下各図面で具体例を挙げるが本発明はこれらに限定されるものではない。
図６は本発明に係る販促物であるポケットティッシュ５の平面図である。図７は販促物であるポケットティッシュ５の裏面図である。図８は印刷された一葉の紙８の平面図である。一葉の紙８の上部には突出部８Ａを設け、手で折る位置をわかり易くするために、点線８ａ，８ｂ，８ｃ，８ｄを設けている。図９は一葉の紙８の折り方図であり、まず８ｄを山折りにして、次に８ａの処で山折り、８ｂの処で谷折り、８ｃの処で山折りをすると図１０の上部の一葉の紙８になる。
図１０はポケットティッシュ５の構造を示す図７のＢ−Ｂの斜視断面図である。ティッシュ６を包装材７で縦方向に約１．４周を巻き込んで包装材７の左右を接着部７ａで熱圧着し、その際できた差し込み口７ｃから、広告情報を印刷された一葉の紙８の突出部８Ａを突出させて差し込むと図６，図７のような広告入りポケットティッシュ５が完成する。なお、ティッシュ６はポケットティッシュの開口部７ｂより引き出して使用する。
紙の折り方は図９の記載に限ることなく山折り、谷折りを逆に採用することも可能である。本実施例２においては、手で折る位置をわかり易くするために点線８ａ，８ｂ，８ｃ，８ｄを一葉の紙８に施しているが、一葉の紙８の最端部だけに目印を印刷してもよい。
印刷された文字やイラストでも目印の効果が得られることも多いので、その時は、目印の為だけに印刷部分を増やす必要はない。また手で折り畳みやすくするために、別途にゲージを作成する場合や、機械で折りたたむ場合はこのような目印などは無くてもよい。
又、本実施例２では突出部８Ａを除きＡ，Ｂ，Ｃ，Ｄ，Ｅ，Ｆ，Ｇ，Ｈいずれも縦横に同じ長さでレイアウトしているが、これに限らず、異なる縦横サイズを採用しても構わない。本実施例２では、接骨院の広告主の情報と共に腰痛に効くとされている体操例と体験治療の無料クーポンを記載している。
本実施例の図８は８つの図柄を印刷しているが、これに限定することなく、全体に1つの図柄を採用することも構わない。また紙の折り方は図９に示すような折り方を採用しているが、これに限ることなく山折り、谷折りを逆に採用することも可能であるし、もっと縦にも段を増やすことや、もっと横にも列を増やしジャバラ折りにすることも広告面積が増えるので好ましい。
本実施例２では、接骨院の広告主の情報と共に腰痛に効く体操例の図と体験治療の無料クーポンを記載している。
【実施例３】
【００２０】
以下各図面で具体例を挙げるが本発明はこれらに限定されるものではない。
図１１は本発明に係る販促物であるポケットマスク９の平面図である。図１２はポケットマスク９の裏面図である。図１３は印刷された一葉の紙１２の平面図である。一葉の紙１２の上部には突出部１２Ａを設け、下部には突出部１２Ｂを設けている。手で折りたたみ易くするために点線１２ａ，１２ｂ，１２ｃを設けている。また本実施例では４つの図柄を設けているが、全体に1つの図柄を印刷してもよい。図１４は一葉の紙１２の図であり、１２ａを山折り、１２ｂの処で谷折り、１２ｃの処で山折りをした時のイメージ図である。図１５はポケットマスク９の構造を示す図１２のＣ−Ｃの斜視断面図である。マスク１０を包装材１１で縦方向に約１．４周を巻き込んで包装材１１の左右を接着部１１ａで熱圧着し、その際できた差し込み口１１ｃから、広告情報を印刷された一葉の紙１２の突出部１２Ａを突出させて差し込むと図１１，図１２のような広告入りポケットマスク９が完成する。なお、マスク１０はポケットマスクの開口部１１ｂより引き出して使用する。
紙の折り方は図１４の記載に限ることなく山折り、谷折りを逆に採用することも可能である。
本実施例３においては、手で折り畳み易くするために点線１２ａ，１２ｂ，１２ｃを一葉の紙１２に施しているが、一葉の紙１２の最端部だけに目印を印刷してもよい。印刷された文字やイラストでも目印の効果が得られることも多いので、その時は、目印の為だけに印刷部分を増やす必要はない。また手で折り畳みやすくするために、別途にゲージを作成する場合や、機械で折りたたむ場合はこのような目印などは無くてもよい。
本実施例３では突出部１２Ａ,１２Ｂを除きＡ，Ｂ，Ｃ，Ｄいずれも縦横に同じ長さでレイアウトしているが、これに限らず、異なる縦横サイズを採用しても構わない。本実施例３では、接骨院の広告主の情報と共に腰痛に効く体操例や肩こりに効く体操例の図と体験治療の無料クーポンを記載している。
【産業上の利用可能性】
【００２１】
本発明によれば、この販促物は従来品とは違い、販促物の広告面積を拡大し、両面から見ても訴求力のある内容の文字などが見え、折り畳んだ紙面を広げるとき、スピーディに見やすくするという目的を実現した。また、販促物を包装するフィルム状の包装材に広告情報を印刷する場合は生産ロットが大きかったが、この方法であれば、小ロットで生産が可能である。期間限定のメッセージや催事の告知、あるいは移り変わりの激しい商品の広告など小ロットで作成したい場合はもってこいの生産方法である。
【符号の説明】
【００２２】
１，５・・・・・・・・・・・・・・・・・・・・・・・・・・ポケットティッシュ
２，６・・・・・・・・・・・・・・・・・・・・・・・・・・・・・・ティッシュ
３，３ａ，３ｃ，７，７ａ，７ｃ,１１,１１ａ,１１ｃ・・・・・・・・・・・包装材
３ｂ，７ｂ,１１ｂ・・・・・・・・・・・・・・・・・ポケットティッシュの開口部
４，４ａ，４ｂ，４ｃ，８，８ａ，８ｂ，８ｃ，８ｄ,
１２,１２ａ,１２ｂ,１２ｃ,・・・・・・・・・・・・・・・・・・・・・一葉の紙
４Ａ，４Ｂ，８Ａ,１２Ａ,１２Ｂ・・・・・・・・・・・・・・・一葉の紙の突出部
９・・・・・・・・・・・・・・・・・・・・・・・・・・・・・・ポケットマスク
１０・・・・・・・・・・・・・・・・・・・・・・・・・・・・・・・・・マスク
【図１】
2014174181.tif 000003
【図２】
2014174181.tif 000004
【図３】
2014174181.tif 000005
【図４】
2014174181.tif 000006
【図５】
2014174181.tif 000007
【図６】
2014174181.tif 000008
【図７】
2014174181.tif 000009
【図８】
2014174181.tif 000010
【図９】
2014174181.tif 000011
【図１０】
2014174181.tif 000012
【図１１】
2014174181.tif 000013
【図１２】
2014174181.tif 000014
【図１３】
2014174181.tif 000015
【図１４】
2014174181.tif 000016
【図１５】
2014174181.tif 000017